(57)【特許請求の範囲】
【請求項１】
上蓋の上面に畳が載設されると共に上蓋の下方が収納部となっている箱体を横方向に複数個組み合わせて壁等のコーナー部に寄せて設置してなる畳コーナーユニットであって、壁等に面した箱体が上蓋を上方に開放自在とした上面開放形の箱体で構成され、オープンスペース側に面した箱体が側面から引出しを出し入れ可能とした側面開放形の箱体で構成され、上記側面開放形の箱体の側面上端にその幅方向に沿って框材を取り付け、この框材の前面を収納状態にある引出しの前面部よりも前方へ突出させたことを特徴とする畳コーナーユニット。
【請求項２】
上記框材を隣接する複数個の箱体間にまたがって取り付けることにより、框材を介して箱体同士を互いに連結してなることを特徴とする請求項１記載の畳コーナーユニット。
【請求項３】
上記引出しの前板と対向する向板の上端に、向板の周辺部分よりも高く突出して、引出しを引き出したときに箱体の側面の開口上端に当接可能な当接部を設けたことを特徴とする請求項１記載の畳コーナーユニット。
【請求項４】
上記上面開放形の箱体と上蓋の後部とがリンク機構を介して連結されており、リンク機構は一端部が箱体に設けた軸支部に回転自在に連結されると共に他端部が上蓋の後部に回転自在に連結された前リンクと後リンクとよりなる平行リンクで構成されており、後リンクと箱体の軸支部との間には後リンクを上方に向かって引き上げるための引張バネが架け渡されており、上蓋の半開状態で引張バネと後リンクとのなす角度が直角となり且つ上蓋の全開状態及び全閉状態では引張バネと後リンクとのなす角度が直角とならないように構成されていると共に全閉状態では上蓋の自重が引張バネのバネ力に勝るように構成されていることを特徴とする請求項１記載の畳コーナーユニット。
【請求項５】
上記箱体は四周側板と底板とを備え、四周側板の下端内周縁に沿って凹段部を切欠き形成し、四周側板よりも薄肉に形成された底板の外周部を凹段部に嵌め込んで四周側板の下端と底板の下面とを面一にすると共に、四周側板の外周面から底板の下面に跨って接着テープを貼着したことを特徴とする請求項１乃至請求項４のいずれかに記載の畳コーナーユニット。
【発明の詳細な説明】
【０００１】
【発明の属する技術分野】
本発明は、畳コーナーユニットに関し、詳しくは例えば建物のリビングのコーナー部に和室ユニットを簡易に設置することができる畳コーナーユニットに関するものである。
【０００２】
【従来の技術】
従来、この種の畳コーナーユニットとして、上蓋の上面に畳が載設されると共に上蓋の下方が収納部となっている箱体を横方向に複数個組み合わせて、建物のリビングの壁に沿う形で配置したものが知られている（実公昭６４−１５３５号公報、特開平１１−２９９５５７号公報）。この畳コーナーユニットによって、リビングの一画に周辺のフロアから約４０ｃｍ程度上がった和室ユニットを簡易に構成できるようになり、特に高齢者や車椅子の人の移動がしやすい和室空間を形成できるようになると共に、畳の下は収納スペースとして利用できるようになる。
【０００３】
【発明が解決しようとする課題】
ところが、上記実公昭６４−１５３５号公報にあっては、平面壁に沿って引出し付きの収納箱を横方向に一列に設置するものであり、前後方向に２列、３列…の設置ができないという問題がある。また従来の引出し９は、図１５に示すように、前板９ｂと対向する向板９ｄの高さがその周囲の側板９ｃと同じ高さに揃えられているのが一般的であるため、特にキャスター１２付きの場合は手前に引き出すと簡単に引き抜けてしまい、不便であり、特に地震の時に外に飛び出る危険があり、また子供がいたずらで乗って遊ぶと危険であった。
【０００４】
また、上記特開平１１−２９９５５７号公報にあっては、すべての箱体の使用に際して上蓋を上方に開放することによって、箱体内部への物品の収納、取り出しを上方から行なうようにしているため、物品の収納、取り出しのたびに畳及び上蓋を持ち上げる必要があり、手間がかかるものであり、しかも上蓋の上面に畳が一体に固定されている場合は、畳を持ち上げるのに労力を要し、特に高齢者とか体の弱い人にとって作業が困難となっていた。また上蓋を閉じるときに上蓋が勢いよく閉じてしまい、指や足を挟んだりする危険があり、また衝撃音が発生するという問題もあった。
【０００５】
さらに、従来の箱体４は図１６に示すように、四周側板１４と底板１７’とを組み立てて構成されているが、四周側板１４と底板１７’とをつなぎ合わせるために、四周側板１４と底板１７’とを四周側板１４の長手方向の内側面に沿って細長い溝３０（雌実）を形成し、底板１７’の側端面に突設した細長い突起３１（雄実）を嵌め込むようにしている。このように従来では底板１７’の側端面に実加工が必要であるために、底板１７’の厚みを一定以上にする必要がある。しか従来の底板１７’は荷重を支える構造材として働くため、薄くすることは困難であり、この結果、箱体４の深さが底板１７’の厚みによって制限されてしまい、収納量を増加させることができないという問題もあった。
【０００６】
本発明は、上記の従来例の問題点に鑑みて発明したものであって、その目的とするところは、上面開放形の箱体と側面開放形の箱体とを適宜組み合わせることで、任意の畳数の和室ユニットを簡単に形成できると共に、ユニットの組み替え、変更も自由にでき、また使用に際してはユニットを構成するすべての箱体が収納可能になると共に、そのうちの幾つかを引出しとして使用でき、物品の出し入れが簡単にできる畳コーナーユニットを提供することにあり、他の目的とするところは、外観上の見栄えが良く、しかも、箱体のレイアウトや結合態様の変更にも容易に対処できる畳コーナーユニットを提供することにあり、更に他の目的とするところは、キャスター付きの引出しであっても引出しが外に引き抜けてしまうのを簡単な構造で防止でき、使い易くすると共に、特に地震時や子供がいたずらで乗ったりした時でも安全性を確保することができる畳コーナーユニットを提供することにあり、他の目的とするところは、上面開放形の箱体の上蓋を比較的小さい力で楽に開閉でき、安全でしかも閉じる際の衝撃音の発生を防止でき、使い勝手に優れた畳コーナーユニットを提供することにあり、更に他の目的とするところは、箱体の底板を薄肉にして収納量の増加を図ることができると共に箱体としての強度低下を極力防止でき、しかも四周側板と底板の下面との間に隙間ができないようにしながら且つ四周側板と底板との直角出しが容易であり、箱体の組み立て精度を向上させることができる畳コーナーユニットを提供することにある。
【０００７】
【課題を解決するための手段】
上記課題を解決するために本発明にあっては、上蓋３の上面に畳２が載設されると共に上蓋３の下方が収納部５となっている箱体４を横方向に複数個組み合わせて壁６等のコーナー部に寄せて設置してなる畳コーナーユニットであって、壁６等に面した箱体４が上蓋３を上方Ｅに開放自在とした上面開放形の箱体４Ａで構成され、オープンスペース８側に面した箱体４が側面４ａから引出し９を出し入れ可能とした側面開放形の箱体４Ｂで構成されていることを特徴としており、このように構成することで、上面開放形の箱体４Ａと側面開放形の箱体４Ｂとを適宜に組み合わせることで、任意の畳数の和室ユニットを簡単に形成できると共にその組み替え、変更も自由にできるようになる。また使用に際して、上面開放形の箱体４Ａの上蓋３を開閉することで物品の収納、出し入れができる状態となり、一方、側面開放形の箱体４Ｂ内の引出し９を手前に引出すだけで、オープンスペース８側から引出し９を引き出して物品の収納、取り出しが容易にできるようになると共に、側面開放形の箱体４Ｂの上の畳２は取り外す必要がないため、特に高齢者とか体の弱い人にとって物品の収納、取り出し作業を楽に行なえるようになる。
【０００８】
また上記側面開放形の箱体４Ｂの側面４ａ上端にその幅方向Ｂに沿って框材１０を取り付け、この框材１０の前面１０ａを収納状態にある引出し９の前面部９ａよりも前方Ｆへ突出させたので、框材１０を利用して引出し９を隠すことができるようになり、見栄えを良くすることができる。
【０００９】
また上記框材１０を隣接する複数個の箱体４間にまたがって取り付けることにより、框材１０を介して箱体４同士を互いに連結してなることを特徴とするのが好ましく、この場合、框材１０を利用して引出し９の出し入れに伴う箱体４のずれ動きを防止でき、また、框材１０を利用して複数個の箱体４同士を結合できるので、複数個の箱体４の一体感が得られると共に、框材１０を外すだけで箱体４のレイアウトや結合態様の変更も容易となる。
【００１０】
また上記引出し９の前板９ｂと対向する向板９ｄの上端に、向板９ｄの周辺部分よりも高く突出して、引出し９を引き出したときに箱体４Ｂの側面４ａの開口上端４ｂに当接可能な当接部２７を設けたことを特徴とするのが好ましく、この場合、引出し９を引き出したときに向板９ｄの上端の当接部２７が周囲よりも高くなっているためにストッパ−として作用することにより、キャスター１２付きの場合でも引出し９全体が外に引き抜かれてしまうのを防止でき、使い易くなると共に、地震時などに勢い良く飛び出す危険もなくなり、また子供がいたずらで乗ったりしても安全性を確保できるようになる。さらに向板９ｄの当接部２７は引出し９内の収納物が向板９ｄを乗り越えて背後に落下するのを防止する働きもする。
【００１１】
また上記上面開放形の箱体４Ａと上蓋３の後部３ａとがリンク機構１１ａを介して連結されており、リンク機構１１ａは一端部１８ａ，１９ａが箱体４Ａに設けた軸支部２０に回転自在に連結されると共に他端部１８ｂ，１９ｂが上蓋３の後部３ａに回転自在に連結された前リンク１８と後リンク１９とよりなる平行リンクで構成されており、後リンク１９と箱体４Ａの軸支部２０との間に後リンク１９を上方に向かって引き上げるための引張バネ２１が架け渡されており、上蓋３の半開状態で引張バネ２１と後リンク１９とのなす角度θ２が直角となり且つ上蓋３の全開状態及び全閉状態では引張バネ２１と後リンク１９とのなす角度θ１、θ３が直角とならないように構成されていると共に全閉状態では上蓋３の自重が引張バネ２１のバネ力に勝るように構成されていることを特徴とするのが好ましく、この場合、上蓋３を閉じているときは上蓋３の自重によって全閉状態で保持され、上蓋３を開くと上蓋３の自重よりも引張バネ２１のバネ力の方が勝るようになるので、上蓋３を比較的小さい力で楽に持ち上げることができるようになり、特に高齢者とか体の弱い人にとって労力を軽減できる。また半開状態ではバネ力が最大となり、半開状態をすぎるとバネ力は次第に弱まっていくので、上蓋３が勢いよく開いて人や物に当ったりするのを防止できるものであり、逆に、上蓋３を閉じるときには引張バネ２１がダンパー装置として働くために上蓋３が勢いよく閉じて指や足を挟んだりするのを防止できるようになり、安全性を十分に確保できると共に、閉じるときの衝撃音の発生を防止できるようになる。尚、本発明でいう上蓋３の半開状態とは、引張バネ２１と後リンク１９とのなす角度θ２が直角となる状態を指し、半開状態における角度の大きさは特に限定されず、引張バネ２１と後リンク１９との連結位置の設定如何によって適宜変更自在である。
【００１２】
また上記箱体４は四周側板１４と底板１７とを備え、四周側板１４の下端１４ａ内周縁に沿って凹段部２５を切欠き形成し、四周側板１４よりも薄肉に形成された底板１７の外周部１７ａを凹段部２５に嵌め込んで四周側板１４の下端１４ａと底板１７の下面１７ｂとを面一にすると共に、四周側板１４の外周面１４ｂから底板１７の下面１７ｂに跨って接着テープ２６を貼着したことを特徴とするのが好ましく、この場合、底板１７を薄肉にした分だけ箱体４の深さが深くなり、収納量を増加させることができると共に、収納物の荷重が床に直接かかるようになり、従って、底板１７を薄肉にしても箱体４としての強度が低下することがなくなり、さらに底板１７の外周部１７ａを四周側板１４の下端１４ａ内周縁に設けた凹段部２５に嵌め込むことで四周側板１４と底板１７との直角出しが容易となると共に、四周側板１４の外周面１４ｂから底板１７の下面１７ｂに跨って接着テープ２６を貼着したことで、四周側板１４と底板１７との間に隙間が生じるのを防止できるようになる。
【００１３】
【発明の実施の形態】
以下、本発明を添付図面に示す実施形態に基づいて説明する。
【００１４】
本実施形態の畳コーナーユニット１は、図１に示すように、上蓋３の上面に畳２が載設されると共に上蓋３の下方が収納部５となっている箱体４Ａ，４Ｂを横方向に複数個組み合わせて構成されており、壁６のコーナー部に寄せて設置される。尚、壁６以外に、例えば間仕切りやタンス、キャビネット等に寄せて設置する場合も含まれるが、以下の実施形態では壁６を例示する。
【００１５】
図１は畳コーナーユニット１をリビングのＬ字形をした２つの壁６，６のコーナー部に寄せて配置した一例を示している。なお畳コーナーユニット１が配置されるのは、上記Ｌ字形をした２つの壁６に限られるものではなく、例えば、１つの平面壁に寄せて配置する場合、或いは３つの壁で囲まれたコ字形スペース内に配置する場合のいずれであってもよく、要するに畳コーナーユニット１の四方のうち、少なくとも一方がオープンスペース８に面していればよいものである。
【００１６】
また上記図１の例では、半畳正方形タイプの箱体４を中央に１つ、その周辺に１畳長方形タイプの箱体４を４つ並べて、全体として４畳半の和室ユニットとした形態例を示しているが、もちろん、和室ユニットの広さは４畳半に限られるものではなく、サイズの異なる箱体４の組み合わせによって適宜の畳数（例えば６畳、８畳、１０畳…）に変更可能であるのは言うまでもない。また図１の例では、１畳長方形タイプの箱体４と半畳正方形タイプの箱体４とを複数個組み合わせて、所定の畳数となるように配置しているが、配置場所の広さや配置目的などに応じて任意に変更可能である。
【００１７】
上記箱体４は、上面が開口した方形状の収納部５と、収納部５の上面開口を開閉可能又は開閉不能に覆う上蓋３とからなり、上蓋３の上面に畳２が載置されるようになっている。箱体４Ａ，４Ｂの高さＨは例えば４０ｃｍ程度とされるが、任意に設計変更自在である。箱体４Ａ，４Ｂの高さＨを変更することで、高齢者等、要被介護者等の身体機能の変化に対応させて使用利便性を向上させることができる。
【００１８】
また、畳２は、軽量で薄い畳が好ましい。また畳２は上蓋３と一体型又は別体型のいずれであってもよい。なお畳２と上蓋３とが別体の場合は、例えば図１に示すように、１畳の畳２を隣接する２つの箱体４Ｂ，４Ｂにまたがって載置できるなど、畳２の大きさを上蓋３の広さとは関係なく任意に選ぶことが可能となり、また畳２を上蓋３に対して着脱可能に載置すれば、従来困難であった畳２の取替えも簡単にできるようになる。
【００１９】
ここで、上記複数個の箱体４Ａ，４Ｂは、図２（ａ）に示すように上蓋３を上方Ｅに開放自在とした上面開放形の箱体４Ａと、図２（ｂ）に示すように、引出し９を前方Ｆに出し入れ可能とした側面開放形の箱体４Ｂとの２つのタイプに分かれている。図１の例で説明すると、壁６に対向している１畳長方形タイプの箱体４及び中央の半畳正方形タイプの箱体４が、それぞれ、上面開放形の箱体４Ａからなり、一方、オープンスペース８に対向している１畳長方形タイプの箱体４が、側面開放形の箱体４Ｂからなる。
【００２０】
上面開放形の箱体４Ａの上蓋３は、図２に示すように、その後端部が収納部５の上部後端に枢支されており、上蓋３の前端部側から上蓋３を上方Ｅに開いて収納部５の上面開口から物品の収納、取り出しができるようになっている。上蓋３の枢支機構１１は例えばリンク機構１１ａ（図１１）からなり、上蓋３をハッチ式で開放でき且つ開放状態で維持できるようになってる。また枢支機構１１はダンパー装置（図示せず）を備えており、これにより上蓋３を持ち上げが容易となり、また閉じるときは上蓋３が緩やかに下降されるので衝撃音のないように静かに閉じることができるようになる。尚、上蓋３の枢支機構１１などの細部構成は上記の構成に限定されるものではなく、実施に際して任意に変更、修正することができる。
【００２１】
一方、側面開放形の箱体４Ｂの引出し９は、図３（ａ）に示すように、キャスター１２によって前方Ｆに引き出し自在とされる。なおキャスター式に代えてスライドレールによって出し入れする方式としてもよい。引出し９の前面部９ａには取手となる指掛け用凹所１３が設けられている。なお１つの箱体４Ｂに収納される引出し９の数は１つ又は複数のいずれでもよい。また引出し９の前方に開閉可能な扉（図示せず）を設け、扉を開いて引出し９を出し入れできるようにしてもよい。
【００２２】
上記引出し９が出し入れされる箱体４Ｂの側面４ａの開口上端には、図３に示すように、箱体４Ｂの幅方向Ｂに沿って框材１０が取り付けられている。本例の框材１０は、断面逆Ｌ字状に形成され、図４に示すように、箱体４Ｂの側面４ａの開口上端に設けた取付板１５にネジ止め等によって取り付けられる。框材１０の前面１０ａは、引出し９を収納した状態（図３（ａ）の仮想線）で引出し９の前面部９ａよりも前方Ｆに突出するように設定されていると共に、框材１０の下端１０ｂは引出し９の上端と接触しない程度に近接配置されている。また、框材１０の上端１０ｃは上蓋３の上面よりも高く且つ畳２の上面よりもやや低い位置に配置されており、これにより框材１０は畳２の受け部としても機能するものである。框材１０の長さは、図３（ｂ）に示すように、框材１０を隣接する複数個の箱体４Ｂ，４Ｂ間にまたがって取り付けることができる長さとされ、これにより、框材１０を介して複数個の箱体４Ｂ，４Ｂ同士を互いに連結できるようになっている。
【００２３】
また図１の例では、上面開放形の箱体４Ａのうち、中央の半畳正方形タイプの箱体４は掘り座卓設置用箱体４Ｃとして使用される。この掘り座卓設置用箱体４Ｃは、上蓋３がなく、収納部５が炉箱とされ、その上面開口に掘り座卓１６が設置可能とされる。収納部５の内側面及び内底面には、カーペット等が貼り付けられている。掘り座卓１６には、昇降式と据え付け式とがあるが、昇降式の場合は、昇降機構（図示せず）によって掘り座卓１６を収納部５への収納位置と収納部５から上に持ち上げた使用位置との間で昇降可能とされる。一方、据え付け式の場合は、収納部５の上端開口縁に方形枠体を配置し、この方形枠体の四隅に据え付け式の掘り座卓１６の脚部を載せるようにすればよい。尚、掘り座卓１６の設置が不要のときは方形枠体を取外して上蓋３を取り付け、その上面に畳２を載置すれば上面開放形の箱体４Ａとして機能させることができる。
【００２４】
しかして、上記構成の畳コーナーユニット１をリビングの壁６のコーナー部に近接配置することにより、フロア面積の広いリビングの片隅など、畳敷きの場所が欲しい部分に並べるだけで所定畳数の和室ユニットを容易に形成できる。またオープンスペース８に対向している複数個の箱体４Ｂの側面４ａの開口上端に框材１０を取り付けることにより、外観が向上すると共に、この框材１０を介して隣接する箱体４Ｂ，４Ｂ同士を互いに連結でき、各箱体４の動きを框材１０によって規制できるようになる。この框材１０はオープンスペース８側から簡単に取り付けることができるものであり、また框材１０を利用して箱体４同士を連結できるので、箱体４を別途、建物の壁６に止め具等を用いて取り付けたりする必要がなく、また、箱体４同士の連結を従来のようなジョイント金具やボルト、ナット等により行う必要もなくなり、設置作業がきわめて簡単になる。また、框材１０によって複数個の箱体４Ａ，４Ｂからなる畳コーナーユニット１の一体感を得ることができると共に、框材１０を取り外すだけで、複数個の箱体４のレイアウトや結合態様の変更に容易に対応できるようになる。また１畳長方形タイプの箱体４と半畳正方形タイプの箱体４とを適宜に組み合わせることで、任意の畳数の和室ユニットを簡単に形成できるうえに、中央の箱体４に市販の掘り座卓１６を置けば、座卓設置用箱体４Ｃとして利用できるなど、さまざまな使い分けが可能となり、和室ユニットの組み替え、変更も自由にできる。
【００２５】
次に、使用に際しては、上面開放形の箱体４Ａ内に物品を収納したり、取り出したりするときは、図１に示すように、箱体４Ａの上蓋３を持ち上げることにより収納部５の上面開口が開放され、物品の出し入れができる状態となり、上蓋３を閉じれば元の畳面に戻すことができる。一方、側面開放形の箱体４Ｂの上の畳２は取り外す必要がなく、引出し９を手前に引出すだけで、図５に示すように、オープンスペース８側から引出し９に物品を収納したり、取り出したりすることができる。つまり、すべての箱体４Ａ，４Ｂを収納部５として利用できるものでありながら、と共に、引出し９を設けることで、箱体４Ｂ内に収納した衣類や雑誌などの物品を出し入れすることが容易となる。
【００２６】
また、本例では、引出し９を収納したときに、上記框材１０の前面１０ａが引出し９の前面部９ａよりも前方Ｆへ突出することで、框材１０によって引出し９が隠れる形となり、見栄えが良くなる。そのうえ、框材１０の上端１０ｃは上蓋３の上面よりも高く且つ畳２の上面よりも低い位置に配置されているため、框材１０が畳２の受け部となり、畳２のずれ動きを阻止できると共に、框材１０が畳２の上面より突出しないため、安全性を高めながら、畳２の納まりを良好にできる。このように、框材１０を利用して引出し９の出し入れに伴う箱体４のずれ動きを防止できるので、畳コーナーユニット１の納まりが一層良好なものとなる。
【００２７】
図７〜図１０は上面開放形の箱体４Ａの他の実施形態であり、箱体４Ａと上蓋３の後部３ａに設けたブラケット３ｂとをリンク機構１１ａを介して連結した場合の一例を示している。ここでは、図８に示すように、リンク機構１１ａは前リンク１８と後リンク１９とよりなる平行リンクで構成されている。前リンク１８及び後リンク１９の一端部１８ａ，１９ａは、箱体４Ａに設けた軸支部２０に回転自在に連結され、各他端部１８ｂ，１９ｂは上蓋３の後部３ｂに設けたブラケット３ｂに回転自在に連結されている。前リンク１８の一端部１８ａは箱体４Ａの軸支部２０に回転自在に連結されており、一端部１８ａを中心として前リンク１８は回転自在となっている。また後リンク１９の一端部１９ａは前リンク１８の一端部１８ａよりも斜め後ろ下方に位置しており、後リンク１９の他端部１９ｂは前リンク１８の他端部１８ｂよりも斜め後ろ下方に位置している。
【００２８】
後リンク１９と箱体４Ａの軸支部２０との間には後リンク１９を上方に向かって引き上げるための引張バネ２１が架け渡されている。ここでは、引張バネ２１の前端部２１ａは箱体４Ａの軸支部２０から突出したフック２２に引っ掛けられており、引張バネ２１の後端部２１ｂは、後リンク１９の中央部よりも一端部１９ａ寄りの位置から突出したフック２３に引掛けられている。そして、上蓋３の半開状態では引張バネ２１と後リンク１９（図８の仮想線Ｌ）とのなす角度θ２が直角となり、且つ上蓋３の全開状態及び全閉状態ではそれぞれ引張バネ２１と後リンク１９とのなす角度θ１、θ３がそれぞれ直角とならないように構成されており（θ１＜θ２＜θ３）、また全閉状態では上蓋３の自重が引張バネ２１のバネ力に勝るように構成されている。尚、本発明でいう上蓋３の半開状態とは、引張バネ２１と後リンク１９とのなす角度θ２が直角となる状態を指し、半開状態における角度の大きさは特に限定されず、引張バネ２１と後リンク１９との連結位置の設定如何によって適宜変更自在である。
【００２９】
動作を説明すると、図８の実線で示す上蓋３の全閉状態では、後リンク１９と引張バネ２１とは逆ハ字状となり、図９（ａ）に示すように、引張バネ２１と後リンク１９とのなす角度θ１は鈍角となるため、後リンク１９に加わるバネ力Ｐは分力Ｐ１，Ｐ２（Ｐ＝Ｐ１＋Ｐ２）に分散されて後リンク１９を引き上げるバネ力（Ｐ１）が上蓋３の自重よりも小さくなり、上蓋３は自重によって全閉状態で保持される。また上蓋３の全閉状態と全開状態との間には、引張バネ２１と後リンク１９とのなす角度θ２が直角となる状態（本例では半開状態という。）が存在している。この半開状態では図９（ｂ）に示すように、引張バネ２１が後リンク１９と直交方向に向くことでバネ力Ｐの分散がないため、後リンク１９を引き上げる力が最大となる。つまり、上蓋３の全閉状態では上蓋３の自重がバネ力よりも勝るが、上蓋３の開き始めから半開状態になるまではバネ力が次第に大きくなって上蓋３の自重よりも勝るようになるため、上蓋３を比較的小さい力で引き上げることができるものとなり、逆に閉じるときは半開状態をすぎるとバネ力が次第に弱くなって上蓋３の自重の方が勝るため、上蓋３を静かに且つ確実に閉じることができるものである。また、図８の仮想線で示す上蓋３の全開状態では、後リンク１９と引張バネ２１とは略Ｖ字状となり、図９（ｃ）に示すように、引張バネ２１と後リンク１９とのなす角度θ３は鋭角となるため、後リンク１９に加わるバネ力Ｐが分力Ｐ１’，Ｐ２’（Ｐ＝Ｐ１’＋Ｐ２’）に分散され、上蓋３が勢い良く開くのを防止できると共にバネ力Ｐ１’によって上蓋３が垂直な全開状態で保持されるようになっている。
【００３０】
しかして、上面開放形の箱体４Ａの上蓋３を開いて物品を出し入れする場合において、上蓋３前部の取手を引き上げると、前リンク１８と後リンク１９とがそれぞれ前上方に立ち上がって上蓋３が水平な全閉状態から垂直な全開状態に移行する。このとき前述の上蓋３を閉じているときは上蓋３の自重が引張バネ２１のバネ力よりも勝っており、上蓋３を開くと引張バネ２１のバネ力の方が勝るようになるので、上蓋３の上面に畳２（図１）が載設されているときでも上蓋３を比較的小さい力で楽に持ち上げることができるようになり、特に高齢者とか体の弱い人にとって労力を軽減できる。また半開状態ではバネ力が最大となり、半開状態をすぎるとバネ力は次第に弱まっていくので、上蓋３が勢いよく開いて人や物に当ったりするのを防止できる共に上蓋３を全開状態で保持できるようになる。逆に、上蓋３を閉じるときには引張バネ２１がダンパー装置として働くために上蓋３が勢いよく閉じて指や足を挟んだりするのを防止できるようになり、安全性を十分に確保できると共に、閉じるときの衝撃音の発生を防止できる等、使い勝手も良くなる。
【００３１】
また本例では、リンク機構１１ａによって上蓋３の全開状態では箱体４Ａのほぼ中央位置で上蓋３が垂直に起立するので、上蓋３の前後両側から物品の出し入れができるようになり、上蓋３が妨げとならないものであり、しかも上蓋３を壁から離して開放できるようになるので、上蓋３を壁に妨げられることなく全開状態にすることができ、物品の出し入れが一層しやすくなる。
【００３２】
図１１〜図１３は側面開放形の箱体４Ｂの他の実施形態であり、キャスター１２付きの引出し９の前板９ｂと対向する向板９ｄの上端に、向板９ｄ周辺の側板９ｃの上端よりも高く突出して、引出し９を引き出したときに箱体４Ｂの側面４ａの開口上端４ｂに当接可能な当接部２７を設けた場合の一例を示している。他の構成は図１の実施形態と同様である。ちなみに、従来では、引き手を持って手前に引き出すタイプの引出し９は、図１５のように向板９ｄと側板９ｃとは同じ高さに揃えられているため、手前に引き出したときに外に簡単に引き抜けてしまい、不便であった。特にキャスター１２付きの場合は、地震のときに飛び出してくる危険があり、また子供がいたずらで乗って遊ぶと危険であったが本発明では、図１３に示すように、引出し９の向板９ｄをその周辺部分よりも高くして、引出し９を引き出した際に箱体４Ｂの側面４ａの開口上端４ｂに当接可能な当接部２７を形成したので、向板９ｄの当接部２７がストッパ−として作用することとなり、キャスター１２付きの場合でも引出し９全体が外に引き抜かれてしまうのを防止でき、使い易くなる。また地震時などに勢い良く飛び出す危険がなくなり、また子供がいたずらで乗ったりしても安全性を確保できるようになる。また向板９ｄの上端を利用して引き抜け防止効果が得られるので、引き抜け防止のための専用の部材を引出し９に別途取り付ける必要がなく、簡単な構造で済むという利点がある。そのうえ向板９ｄの当接部２７を向板９ｄのほぼ全幅に亘って設けることで、当接部２７は引き抜け防止用ストッパーとしての機能以外に、引出し９内の収納物が向板９ｄを乗り越えて背後に落下するのを防止する落下防止部材としても機能する。ちなみに、収納物が引出し９の背後に落下するとそのまま放置されることが多く、また落下物を回収するときには引出し９を一旦外に取り出して手をのばして落下物を取り出す必要があるなど、きわめて面倒であるが、本発明では当接部２７を利用して収納物の背後への落下を防止できるので、落下防止のための専用の部材を引出し９に別途取り付けたりする必要もないものであり、しかも本例では図１３に示すように、当接部２７が開口の上端縁の下をくぐり抜けるように引出し９全体を傾けるだけで、外に簡単に引き抜くことができるので、当接部２７による引出し９の引き抜け防止を図ることができる構造でありながら、引出し９を引き抜いて引出し９内部や箱体４Ｂ内部の掃除が可能になるという利点もある。
【００３３】
図１４は上面開放形及び側面開放形の各箱体４において、箱体４の四周側板１４の下端１４ａ内周縁に沿って下側及び内側に開口した断面Ｌ字状の凹段部２５を切欠き形成し、底板１７の肉厚Ｌ２を四周側板１４の肉厚Ｌ１よりも薄肉（Ｌ１＞Ｌ２）に形成し、この薄肉に形成した底板１７の外周部１７ａを凹段部２５に嵌め込んで四周側板１４の下端１４ａと底板１７の下面１７ｂとを面一にすると共に、四周側板１４の外周面１４ｂから底板１７の下面１７ｂに跨って接着テープ２６を貼着した場合の一例を示している。なお、接着テープ２６としては、布テープ等のような伸縮自在なテープが望ましい。他の構成は図１の実施形態と同様である。しかして、底板１７を四周側板１４よりも薄肉にすると共に、底板１７の下面１７ｂを四周側板１４の下端１４ａと面一にすることで、底板１７を薄肉にした分だけ箱体４の深さが深くなり、収納量を増加させることができると共に、収納物の荷重が床に直接かかるようになり、これにより、底板１７を薄肉にしても箱体４としての強度が低下することがなくなる。ちなみに従来では図１６に示すように、四周側板１４と底板１７’とを実接合させているため、底板１７’が荷重を支える構造材として働くようになり、そのために底板１７’を薄くすることは困難であるが、これに対して本発明では底板１７は化粧板として働くだけであるため、底板１７を極力薄くすることが可能となる。また、底板１７の外周部１７ａを四周側板１４の下端１４ａ内周縁に沿って切欠いた凹段部２５に嵌め込むことで、四周側板１４と底板１７との直角出しが容易となり、しかも四周側板１４の外周面１４ｂから底板１７の下面１７ｂに跨って布テープ等の伸縮自在な接着テープ２６を貼着することで、四周側板１４と底板１７との間に隙間が生じるのを防止でき、箱体４の組み立て精度を向上させることができる。なお接着テープ２６を用いずに、仮りに底板１７と四周側板１４とを釘止め等すると、底板１７が薄肉の場合はクラックが発生しやすいという問題があり、また接着剤を用いて接着した場合は、接着剤の塗布、乾燥、固化等の作業が煩雑であると共に、時間と工数を要するため作業能率及び生産性を低下させるという問題がある。つまり、本例では接着テープ２６を用いたので底板１７の割れ発生や接着の手間等の問題が生じることがないものである。
【００３４】
【発明の効果】
上述のように請求項１記載の発明にあっては、上蓋の上面に畳が載設されると共に上蓋の下方が収納部となっている箱体を横方向に複数個組み合わせて壁等のコーナー部に寄せて設置してなる畳コーナーユニットであって、壁等に面した箱体が上蓋を上方に開放自在とした上面開放形の箱体で構成され、オープンスペース側に面した箱体が側面から引出しを出し入れ可能とした側面開放形の箱体で構成されているので、上面開放形の箱体と側面開放形の箱体とを適宜に組み合わせることで、任意の畳数の和室ユニットを簡単に形成できると共に、ユニットの組み替え、変更も自由にできる。また使用に際して、上面開放形の箱体の上蓋を開閉することで物品の収納、出し入れができる状態となり、一方、側面開放形の箱体内の引出しを手前に引出すだけで、オープンスペース側から引出しに物品の収納、取り出しが容易にできると共に、側面開放形の箱体の上の畳は取り外す必要がないため、特に高齢者とか体の弱い人にとって物品の収納、取り出し作業が楽にできる。しかもすべての箱体が収納可能となっており、そのうちの幾つかを引出しとして使用することで、収納量を確保しながら、物品の出し入れが簡単にできるものとなる。
【００３５】
また請求項１記載の発明は、上記側面開放形の箱体の側面上端にその幅方向に沿って框材を取り付け、この框材の前面を収納状態にある引出しの前面部よりも前方へ突出させたので、引出しを収納すれば、框材の下に引出しが隠れる形となり、見栄えが良くなるうえに防犯にも役立つ。
【００３６】
また請求項２記載の発明は、請求項１記載の効果に加えて、上記框材を隣接する複数個の箱体間にまたがって取り付けることにより、框材を介して箱体同士を互いに連結してなるので、框材を利用して引出しの出し入れに伴う箱体のずれ動きを防止でき、箱体の納まりが良好となり、また、框材を利用して複数個の箱体同士を結合することで、箱体を別途、建物の壁に止め具等を用いて取り付けたり、或いは従来のようなジョイント金具やボルト、ナット等により結合したりする必要がなくなり、箱体の設置をきわめて簡単且つ確実にできると共に、框材によって複数個の箱体の一体感が得られ、見栄えが良くなる。また框材を取り外すだけで、箱体のレイアウトや結合態様の変更にも容易に対処できるものである。
【００３７】
また請求項３記載の発明は、請求項１記載の効果に加えて、上記引出しの前板と対向する向板の上端に、向板の周辺部分よりも高く突出して、引出しを引き出したときに箱体の側面の開口上端に当接可能な当接部を設けたことを特徴とするのが好ましく、この場合、引出しを引き出したときに向板の当接部が向板の周辺部分よりも高くなっているためにストッパ−として作用することとなり、キャスター付きの場合でも引出しが外に引き抜かれてしまうのを防止でき、使い易くなると共に、地震時などに勢い良く飛び出す危険もなくなり、また子供がいたずらで乗ったりしても安全性を確保できるようになる。さらに向板は引き抜け防止用ストッパーとしての働き以外に、引出し内の収納物が向板を乗り越えて背後に落下するのを防止する落下防止部材としても働くようになる。
【００３８】
また請求項４記載の発明は、請求項１記載の効果に加えて、上記上面開放形の箱体と上蓋の後部とがリンク機構を介して連結されており、リンク機構は一端部が箱体に設けた軸支部に回転自在に連結されると共に他端部が上蓋の後部に回転自在に連結された前リンクと後リンクとよりなる平行リンクで構成されており、後リンクと箱体の軸支部との間に後リンクを上方に向かって引き上げるための引張バネが架け渡されており、上蓋の半開状態で引張バネと後リンクとのなす角度が直角となり且つ上蓋の全開状態及び全閉状態では引張バネと後リンクとのなす角度が直角とならないように構成されていると共に全閉状態では上蓋の自重が引張バネのバネ力に勝るように構成されているので、上蓋を閉じているときは上蓋の自重によって全閉状態で保持され、上蓋を開くと上蓋の自重よりも引張バネのバネ力の方が勝るようになるので、上蓋を比較的小さい力で楽に持ち上げることができるようになり、特に高齢者とか体の弱い人にとって労力を軽減できる。また半開状態ではバネ力が最大となり、半開状態をすぎるとバネ力は次第に弱まっていくので、上蓋が勢いよく開いて人や物に当ったりするのを防止できるものであり、逆に、上蓋を閉じるときには引張バネがダンパー装置として働くために上蓋が勢いよく閉じて指や足を挟んだりするのを防止できるようになり、安全性を十分に確保できると共に、閉じるときの衝撃音の発生を防止できる等、使い勝手が良好となる。
【００３９】
また請求項５記載の発明は、請求項１乃至請求項４のいずれかに記載の効果に加えて、上記箱体は四周側板と底板とを備え、四周側板の下端内周縁に沿って凹段部を切欠き形成し、四周側板よりも薄肉に形成された底板の外周部を凹段部に嵌め込んで四周側板の下端と底板の下面とを面一にしたので、底板を薄肉にした分だけ箱体の深さが深くなり、収納量を増加させることができると共に、収納物の荷重が床に直接かかるようになり、従って、底板を薄肉にしても箱体としての強度が低下することがなくなる。つまり、底板は化粧板として働くだけとなり、底板を極力薄くすることが可能となる。さらに底板の外周部を四周側板の下端内周縁に設けた凹段部に嵌め込むことで四周側板と底板との直角出しが容易となると共に、四周側板の外周面から底板の下面に跨って接着テープを貼着したことで、四周側板と底板との間に隙間が生じるのを防止でき、箱体の組み立て精度を向上させることができる。
【図面の簡単な説明】
【図１】本発明の一実施形態の畳コーナーユニットの設置例を説明する斜視図である。
【図２】（ａ）は同上の上面開放形の箱体の上蓋を開いた状態を説明する側面図、（ｂ）は同上の側面開放形の箱体の引出しを引き出した状態を説明する側面図である。
【図３】（ａ）は同上の側面開放形の箱体の側面図、（ｂ）は正面図である。
【図４】同上の框材を側面開放形の箱体の側面上端に取り付ける場合を説明する斜視図である。
【図５】同上の引出しの引き出し方向を説明する平面図である。
【図６】（ａ）は同上の上面開放形の箱体の一部切欠き平面図、（ｂ）は一部切欠き正面図である。
【図７】同上の上面開放形の箱体の一部切欠き側面図である。
【図８】同上の上蓋のリンク機構の動作を説明する正面図である。
【図９】（ａ）〜（ｃ）は同上の全閉状態と半開状態と全開状態における引張バネのバネ力の変化の説明図である。
【図１０】（ａ）は同上のリンク機構の平面図、（ｂ）は側面図である。
【図１１】本発明の他の実施形態を説明する側面図である。
【図１２】（ａ）は同上の側面開放形の箱体から引出しを引き出した状態を説明する平面図、（ｂ）は正面図である。
【図１３】同上の引出しを傾けて引き抜く場合を説明する側面図である。
【図１４】本発明の更に他の実施形態の説明図である。
【図１５】従来の引出しの説明図である。
【図１６】従来の箱体の四周側板と底板との嵌め込み状態の説明図である。
【符号の説明】
１  畳コーナーユニット
２  畳
３  上蓋
４  箱体
４Ａ  上面開放形の箱体
４Ｂ  側面開放形の箱体
４ａ  側面
４ｂ  開口上端
５  収納部
６  壁
８  オープンスペース
９  引出し
９ａ  引出しの前面部
９ｂ  引出しの前板
９ｃ  引出しの側板
９ｄ  引出しの向板
１０  框材
１１ａ  リンク機構
１４  箱体の四周側板
１４ａ  四周側板の下端
１７  箱体の底板
１７ａ  底板の外周部
１７ｂ  底板の下面
１８  前リンク
１８ａ  一端部
１８ｂ  他端部
１９  後リンク
１９ａ  一端部
１９ｂ  他端部
２０  箱体の軸支部
２１  引張バネ
２５  凹段部
２６  接着テープ
２７  当接部
Ｂ  幅方向
Ｅ  上方
Ｆ  前方
θ１、θ２、θ３  角度
【図１】
0003741054.tif 000002
【図２】
0003741054.tif 000003
【図３】
0003741054.tif 000004
【図４】
0003741054.tif 000005
【図５】
0003741054.tif 000006
【図６】
0003741054.tif 000007
【図７】
0003741054.tif 000008
【図８】
0003741054.tif 000009
【図９】
0003741054.tif 000010
【図１０】
0003741054.tif 000011
【図１１】
0003741054.tif 000012
【図１２】
0003741054.tif 000013
【図１３】
0003741054.tif 000014
【図１４】
0003741054.tif 000015
【図１５】
0003741054.tif 000016
【図１６】
0003741054.tif 000017